(57)【特許請求の範囲】
【請求項１】
装置本体に設けられ、画像形成動作を制御する制御基板と、
前記制御基板の外面に設けられた第１接続端子と、
前記装置本体における前記制御基板の外面側に設けられた装着部と、
一方の面が前記制御基板の外面に対向するように、前記装着部に対して前記制御基板の板厚方向へ装着可能な基板と、
前記基板の前記一方の面に設けられ、前記基板の前記装着部への装着動作に伴って前記第１接続端子に接続される第２接続端子と、
前記基板の他方の面に設けられ、前記基板の面内方向一端側に配置された把持部と、
前記基板の面内方向他端側へ突出するように前記基板に設けられ、前記装置本体の開口部に差し込まれてから前記基板が前記装着部へ装着されることで外部へ露出し、外部装置が接続可能な外部接続端子と、
を備える画像形成装置。
【請求項２】
前記把持部は、前記第２接続端子の裏側に配置されている請求項１に記載の画像形成装置。
【請求項３】
前記装置本体の開口部に対向して前記装着部に設けられ、前記装着部に装着された前記基板の面内方向一端側に接触して、前記装着部から外れる方向への当該面内方向一端側の移動を規制する規制部を備える請求項１又は２に記載の画像形成装置。
【請求項４】
前記規制部は、前記装着部に設けられ、基準電位点と導通した導通部材で構成され、
前記基板の他方の面には、前記基板の前記装着部への装着動作に伴って前記導通部材に接触し、当該導通部材を介して前記基準電位点へ導通される被導通部材が設けられている  請求項３に記載の画像形成装置。
【発明の詳細な説明】
【技術分野】
【０００１】
本発明は、画像形成装置に関する。
【背景技術】
【０００２】
特許文献１には、以下に示す構成が開示されている。すなわち、装置本体の機能を拡張する拡張電装基板２において、装置本体に実装された状態で、装置本体の全体制御を行う主電装基板１に対して略平行に配置され、装置本体の内部側の端部２００ａと端部２００ａと略平行であり装置本体の筐体側の端部２００ｂとを有する板状の基板本体２００と、端部２００ａ近傍で、装置本体へ実装する場合に主電装基板１側となる面に設けられたコネクタ２５０と、コネクタ２５０の位置より端部１００ｂ側の位置に設けられ、主電装基板１のコネクタ１５０と電気的に接続可能なハーネス用コネクタ２６０と、コネクタ２５０とハーネス用コネクタ２６０とを接続して拡張電装基板２と主電装基板１とを接続するハーネス２５５とを備えている。
【先行技術文献】
【特許文献】
【０００３】
【特許文献１】特開２００９−２６６９４８号公報
【発明の概要】
【発明が解決しようとする課題】
【０００４】
本発明は、基板に設けられた外部接続端子を装置本体の開口部に差し込んでから当該基板を装着部へ装着する際の操作性を向上させることを課題とする。
【課題を解決するための手段】
【０００５】
請求項１の発明は、装置本体に設けられ、画像形成動作を制御する制御基板と、前記制御基板の外面に設けられた第１接続端子と、前記装置本体における前記制御基板の外面側に設けられた装着部と、一方の面が前記制御基板の外面に対向するように、前記装着部に対して前記制御基板の板厚方向へ装着可能な基板と、前記基板の前記一方の面に設けられ、前記基板の前記装着部への装着動作に伴って前記第１接続端子に接続される第２接続端子と、前記基板の他方の面に設けられ、前記基板の面内方向一端側に配置された把持部と、前記基板の面内方向他端側へ突出するように前記基板に設けられ、前記装置本体の開口部に差し込まれてから前記基板が前記装着部へ装着されることで外部へ露出し、外部装置が接続可能な外部接続端子と、を備える画像形成装置である。
【０００６】
請求項２の発明は、前記把持部は、前記第２接続端子の裏側に配置されている請求項１に記載の画像形成装置である。
【０００７】
請求項３の発明は、前記装置本体の開口部に対向して前記装着部に設けられ、前記装着部に装着された前記基板の面内方向一端側に接触して、前記装着部から外れる方向への当該面内方向一端側の移動を規制する規制部を備える請求項１又は２に記載の画像形成装置である。
【０００８】
請求項４の発明では、前記規制部は、前記装着部に設けられ、基準電位点と導通した導通部材で構成され、前記基板の他方の面には、前記基板の前記装着部への装着動作に伴って前記導通部材に接触し、当該導通部材を介して前記基準電位点へ導通される被導通部材が設けられている。
【発明の効果】
【０００９】
本発明の請求項１の構成によれば、外部接続端子が突出する面内方向他端側に把持部が配置される場合に比べ、外部接続端子を装置本体の開口部に差し込んでから基板を装着部へ装着する際の操作性が向上する。
【００１０】
本発明の請求項２の構成によれば、把持部が第２接続端子の裏側に配置されていない場合に比べ、第２接続端子が第１接続端子に接続される際の操作力が低減される。
【００１１】
本発明の請求項３の構成によれば、本構成を備えない構成に比べ、装着部に装着された基板が装着部から外れにくい。
【００１２】
本発明の請求項４の構成によれば、本構成を備えない構成に比べ、少ない部品点数で、基板の面内方向一端側の支持と、基板の基準電位点への導通と、がなされる。
【図面の簡単な説明】
【００１３】
【図１】画像形成装置の構成を示す概略図である。
【図２】画像形成装置における装着領域の構成を示す斜視図である。
【図３】図２に示す装着領域に対してカバーが取り付けられた状態を示す斜視図である。
【図４】図２に示す装着領域を部分的に破断した斜視図である。
【図５】カード装着部及びそのカード装着部に装着されたネットカードを部分的に破断した斜視図である。
【図６】シールドプレートの構成を示す斜視図である。
【図７】ユニット装着部からＦＡＸユニットが取り外された状態を示す斜視図である。
【図８】ネットカードの構成を示す斜視図である。
【図９】ネットカードのカード装着部への装着動作を示す平断面図である。
【図１０】ネットカードのカード装着部への装着動作を示す平断面図である。
【図１１】ネットカードのカード装着部への装着動作を示す平断面図である。
【図１２】ネットカードのカード装着部への装着状態を示す平断面図である。
【発明を実施するための形態】
【００１４】
以下に、本発明に係る実施形態の一例を図面に基づき説明する。
（本実施形態に係る画像形成装置の構成）
まず、本実施形態に係る画像形成装置の構成を説明する。図１は、本実施形態に係る画像形成装置の構成を示す概略図である。なお、下記のＸ方向・−Ｘ方向・Ｚ方向・−Ｚ方向は、図中に示す矢印方向である。また、図中の「○」の中に「×」が記載されたものは、紙面の手前から奥へ向かう矢印を意味し、図中の「○」の中に「・」が記載されたものは、紙面の奥から手前へ向かう矢印を意味する。
【００１５】
画像形成装置１０は、図１に示すように、各構成部品が設けられる装置本体１２と、画像形成装置１０の各部の動作を制御する制御部の一例としての制御基板２４（図４参照）と、を備えている。装置本体１２を構成する筐体１１１の内部には、用紙等の記録媒体Ｐが収容される収容部１１２と、記録媒体Ｐに画像を形成する画像形成部１１４と、収容部１１２から画像形成部１１４へ記録媒体Ｐを搬送する搬送部１１６と、が設けられている。また、筐体１１１の上部には、画像形成部１１４によって画像が形成された記録媒体Ｐが排出される排出部１１８が設けられている。
【００１６】
画像形成部１１４は、イエロー（Ｙ）、マゼンタ（Ｍ）、シアン（Ｃ）、ブラック（Ｋ）の各色のトナー画像を形成する画像形成ユニット１２２Ｙ、１２２Ｍ、１２２Ｃ、１２２Ｋ（以下、１２２Ｙ〜１２２Ｋと示す）と、画像形成ユニット１２２Ｙ〜１２２Ｋで形成されたトナー画像が転写される中間転写ベルト１２４と、画像形成ユニット１２２Ｙ〜１２２Ｋで形成されたトナー画像を中間転写ベルト１２４に転写する第１転写ロール１２６と、第１転写ロール１２６によって中間転写ベルト１２４に転写されたトナー画像を中間転写ベルト１２４から記録媒体Ｐへ転写する第２転写ロール１２８と、を備えている。なお、画像形成部１１４は、上記の構成に限られず、他の構成であっても良く、記録媒体Ｐに画像を形成するものであればよい。
【００１７】
画像形成ユニット１２２Ｙ〜１２２Ｋは、水平方向に対して傾斜した状態で、筐体１１１に並んで配置されている。また、画像形成ユニット１２２Ｙ〜１２２Ｋは、一方向（例えば、図１における時計回り方向）へ回転する感光体１３２をそれぞれ有している。なお、画像形成ユニット１２２Ｙ〜１２２Ｋは、同様に構成されているので、図１において、画像形成ユニット１２２Ｍ・１２２Ｃ・１２２Ｋの各部の符号を省略している。
【００１８】
各感光体１３２の周囲には、感光体１３２の回転方向上流側から順に、感光体１３２を帯電させる帯電装置の一例としての帯電ロール１２３と、帯電ロール１２３によって帯電した感光体１３２を後述の露光装置１３６が露光することで感光体１３２に形成された静電潜像を現像してトナー画像を形成する現像装置１３８と、転写後の感光体１１８に残留する現像剤を除去する除去装置１６０と、が設けられている。
【００１９】
画像形成ユニット１２２Ｙ〜１２２Ｋの斜め下方には、帯電ロール１２３によって帯電した感光体１３２を露光して感光体１３２に静電潜像を形成する露光装置１３６が設けられている。露光装置１３６は、制御基板２４から送られた画像信号に基づき静電潜像を形成するようになっている。制御基板２４から送られる画像信号としては、例えば、制御基板２４が外部装置から取得した画像信号がある。
【００２０】
現像装置１３８は、感光体１３２へ現像剤を供給する現像剤供給体１３８Ａと、現像剤供給体１３８Ａへ付与される現像剤を攪拌しながら搬送する複数の搬送部材１３８Ｂと、を備えている。
【００２１】
中間転写ベルト１２４は、環状に形成されると共に、画像形成ユニット１２２Ｙ〜１２２Ｋの上側に配置されている。中間転写ベルト１２４の内周側には、中間転写ベルト１２４が巻き掛けられる巻掛ロール１４２・１４３・１４４・１４５が設けられている。中間転写ベルト１２４は、巻掛ロール１４２・１４３・１４４・１４５のいずれかが回転駆動することによって、感光体１３２と接触しながら一方向（例えば、図１における反時計回り方向）へ循環移動（回転）するようになっている。なお、巻掛ロール１４２は、第２転写ロール１２８に対向する対向ロールとされている。
【００２２】
第１転写ロール１２６は、中間転写ベルト１２４を挟んで感光体１３２に対向している。第１転写ロール１２６と感光体１３２との間が、感光体１３２に形成されたトナー画像が中間転写ベルト１２４に転写される第１転写位置Ｔ１とされている。
【００２３】
第２転写ロール１２８は、中間転写ベルト１２４を挟んで巻掛ロール１４２に対向している。第２転写ロール１２８と巻掛ロール１４２との間が、中間転写ベルト１２４に転写されたトナー画像が記録媒体Ｐに転写される第２転写位置Ｔ２とされている。
【００２４】
搬送部１１６は、収容部１１２に収容された記録媒体Ｐを送り出す送出ロール１４６と、送出ロール１４６に送り出された記録媒体Ｐが搬送される搬送路１４８と、搬送路１４８に沿って配置され送出ロール１４６によって送り出された記録媒体Ｐを第２転写位置Ｔ２へ搬送する複数の搬送ロール１５０と、が設けられている。
【００２５】
第２転写位置Ｔ２より搬送方向下流側には、画像形成部１１４によって記録媒体Ｐに形成されたトナー画像を記録媒体Ｐに定着させる定着装置１４０が設けられている。この定着装置１４０より搬送方向下流側には、トナー画像が定着された記録媒体Ｐを排出部１１８へ排出する排出ロール１５２が設けられている。
【００２６】
また、片面にトナー画像が定着された記録媒体Ｐを反転させて、再び第２転写位置Ｔ２へ送り戻すための反転搬送路１３７が、搬送路１４８に対する中間転写ベルト１２４とは反対側（Ｘ方向側）に設けられている。記録媒体Ｐの両面に画像を形成する際には、片面にトナー画像が定着された記録媒体Ｐが、排出ロール１５２によりスイッチバックされて反転搬送路１３７に導かれて第２転写位置Ｔ２へ送り戻されるようになっている。
【００２７】
次に、本実施形態に係る画像形成装置１０における、記録媒体Ｐへ画像を形成する画像形成動作について説明する。
【００２８】
本実施形態に係る画像形成装置１０では、収容部１１２から送出ロール１４６によって送り出された記録媒体Ｐが、複数の搬送ロール１５０によって第２転写位置Ｔ２へ送り込まれる。
【００２９】
一方、画像形成ユニット１２２Ｙ〜１２２Ｋでは、帯電ロール１２３によって帯電した感光体１３２が、露光装置１３６によって露光されて感光体１３２に静電潜像が形成される。その静電潜像が現像装置１３８によって現像されて感光体１３２にトナー画像が形成される。画像形成ユニット１２２Ｙ〜１２２Ｋで形成された各色のトナー画像は、第１転写位置Ｔ１にて中間転写ベルト１２４に重ねられて、カラー画像が形成される。そして、中間転写ベルト１２４に形成されたカラー画像が、第２転写位置Ｔ２にて記録媒体Ｐへ転写される。
【００３０】
トナー画像が転写された記録媒体Ｐは、定着装置１４０へ搬送され、転写されたトナー画像が定着装置１４０により定着される。記録媒体Ｐの片面へのみ画像を形成する場合は、トナー画像が定着された後、記録媒体Ｐは排出ロール１５２により排出部１１８へ排出される。記録媒体Ｐの両面へ画像を形成する場合には、片面に画像が形成された後、記録媒体Ｐは、排出ロール１５２でスイッチバックされ、反転して反転搬送路１３７へ送り込まれる。さらに、反転搬送路１３７から再び第２転写位置Ｔ２へ送り込まれ、画像が記録されていない反対面に、上記と同様に画像が形成され、記録媒体Ｐの両面へ画像が形成され、排出ロール１５２により排出部１１８へ排出される。以上のように、一連の画像形成動作が行われる。
【００３１】
なお、図１に示すように、画像形成装置１０の上部には、原稿の画像を読み取り可能な画像読取部１７０Ａと、画像読取部１７０Ａの上面に対して開閉される開閉部１７０Ｂと、を有する画像読取装置１７０が設けられている。画像読取装置１７０では、開閉部１７０Ｂを開放して、画像読取部１７０Ａの上面に原稿を載せることで当該原稿の画像を画像読取部１７０Ａが読み取り可能となっている。また、開閉部１７０Ｂには、原稿を搬送する原稿搬送装置１７０Ｃが設けられており、原稿搬送装置１７０Ｃによって搬送される原稿の画像を画像読取部１７０Ａが読み取り可能となっている。そして、画像形成装置１０では、画像読取装置１７０が読み取った画像に基づき、記録媒体に画像を形成できるようになっている。なお、図２、３、７では、画像読取装置１７０を簡略化して図示している。
【００３２】
（装着領域の構成）
画像形成装置１０は、図２に示すように、画像形成装置１０の機能を追加する追加部材１４が装着可能な装着領域１３を備えている。この装着領域１３は、ユーザにより自由に追加部材１４を追加できるように設けられた領域である。
【００３３】
画像形成装置１０の装置本体１２には、図３に示すように、装着領域１３を覆うカバー１８が着脱可能に設けられている。このカバー１８を装置本体１２から取り外すことで、装着領域１３が露出して、装着領域１３への追加部材１４の装着が可能となる。
【００３４】
追加部材１４としては、例えば、画像形成装置１０にネットワーク機能を追加するためのネットカード４０、画像形成装置１０にＦＡＸ機能を追加するためのＦＡＸユニット５０がある。なお、追加部材としては、これらに限られず、他の機能を追加するものであってもよい。
【００３５】
装置本体１２は、図４に示すように、構造体としての本体フレーム２０と、外装部材としての外装カバー２２と、を有している。本体フレーム２０は、図５に示すように、画像形成部１１４（図１参照）の後方側（−Ｚ方向側）に配置された後方フレーム２０Ｂと、後方フレーム２０ＢのＸ方向端部から後方（−Ｚ方向）へ張り出す張出フレーム２０Ｃと、を有している。張出フレーム２０Ｃは、平面視にてＬ字状に形成されている。
【００３６】
後方フレーム２０Ｂの外面２０Ａ側には、前述の制御基板２４が設けられている。なお、外面とは、装置本体１２の外部側（−Ｚ方向）を向く面であって、画像形成部１１４が配置された内部側を向く面とは反対側の面である。
【００３７】
制御基板２４は、前述のように、画像形成動作を含めた画像形成装置１０全体の動作を制御するようになっている。制御基板２４の外面２４Ａには、電子部品２５（図４参照）及び、第１接続端子の一例としての制御基板用コネクタ２６が設けられている。
【００３８】
制御基板２４の外面２４Ａ側には、制御基板２４の外面２４Ａを覆うように装置本体１２に設けられ且つ制御基板２４を電気的に遮蔽する遮蔽部材の一例としてのシールドプレート７０が配置されている。シールドプレート７０は、張出フレーム２０Ｃ等に固定されて、基準電位点となる本体フレーム２０に電気的に接続されており、制御基板２４への電気的なノイズの影響を低減するようになっている。
【００３９】
シールドプレート７０の外面７０Ａには、ネットカード４０が装着可能とされる装着部の一例としてのカード装着部３４、及びＦＡＸユニット５０が装着可能とされるユニット装着部３５（図６及び図７参照）が設けられている。すなわち、カード装着部３４及びユニット装着部３５は、装置本体１２における制御基板２４の外面２４Ａ側（−Ｚ方向側）に、１箇所に集約されて設けられている。
【００４０】
シールドプレート７０は、図６における左上部分に矩形状の切欠部７１Ａを有する第１プレート７１と、Ｚ方向視にて切欠部７１Ａ部分に設けられ第１プレート７１よりも制御基板２４側に配置された矩形状の第２プレート７２と、第２プレート７２の側方（−Ｘ方向）で第２プレート７２と第１プレート７１とをつなぐ第３プレート７３と、第２プレート７２の下方で第２プレート７２と第１プレート７１とをつなぐ第４プレート７４と、を有している。なお、シールドプレート７０は、一体的に形成された構成であってもよいし、複数のプレートを組み付けて構成されていてもよい。
【００４１】
第３プレート７３は、本体フレーム２０を構成する張出フレーム２０Ｃと対向配置されている（図５参照）。第４プレート７４に対して、その上方で、外装カバー２２の一部が対向している（図４参照）。この外装カバー２２の一部、張出フレーム２０Ｃ、第３プレート７３、第４プレート７４及び第２プレート７２によって囲まれて、−Ｚ方向側が開放された直方体状の空間が、カード装着部３４におけるネットカード４０が装着される装着空間となっている。この装着空間に対して、−Ｚ方向の開放部分を通じ、ネットカード４０がＺ方向（装着方向）へ装着され、−Ｚ方向（取外方向）へ取り外し可能とされる。このように、カード装着部３４は、シールドプレート７０の一部として構成されている。
【００４２】
なお、張出フレーム２０Ｃ及び、その張出フレーム２０Ｃの外側（Ｘ方向側）を覆う外装カバー２２には、後述の外部コネクタ４８が差し込まれる開口部２１が形成されている。また、第３プレート７３には、後述の板バネ３６の一部が突出する開口部７３Ｂが２つ上下に並んで形成されている。さらに、第２プレート７２には、制御基板２４の制御基板用コネクタ２６を後方側（−Ｚ方向側）へ露出させる開口部７２Ｂが形成されている。
【００４３】
ユニット装着部３５は、図７に示すように、第１プレート７１の外面７１Ｂ側に設けられている。第１プレート７１の外面７１Ｂには、ＦＡＸユニット５０を取り付けるための取付部材としてのつまみネジ５８Ｃ・５８Ｄがねじ込まれるネジ孔７１Ｃ・７１Ｄが形成されている。また、ＦＡＸユニット５０の被引掛部としての開口部５１に引っ掛けるための引掛部材としてのフック７１Ｅが設けられている。
【００４４】
ユニット装着部３５は、このように、カード装着部３４に対して−Ｚ方向側に設けられており、カード装着部３４よりも、制御基板２４に対して−Ｚ方向側に離間した位置に設けられている。従って、制御基板２４におけるユニット装着部３５が設けられた領域において、−Ｚ方向側に空間が確保され、カード装着部３４が設けられた領域に比べて、制御基板２４に実装する実装部品の高さ（Ｚ方向長さ）制限がゆるくなっている。
【００４５】
また、カード装着部３４及びユニット装着部３５は、Ｚ方向視において重なって配置されるのではなく、カード装着部３４は、ユニット装着部３５に対して斜め上方にずれて配置されており、カード装着部３４及びユニット装着部３５のそれぞれに独立してアクセス可能とされている。また、カード装着部３４は、装着領域１３における、ユーザにわかりやすい上方の角部に設けられている。
【００４６】
ＦＡＸユニット５０は、基板５２（図４参照）と、基板５２が収容されるケース５４と、を有している。ケース５４には、第１被取付部としての第１板部５４Ａ及び第２被取付部としての第２板部５４Ｂが設けられている。第１板部５４Ａは、ケース５４からその上方へ張り出し、第２板部５４Ｂは、ケース５４からその側方（−Ｘ方向）へ張り出している。第１板部５４Ａには、フック７１Ｅに引っ掛けられる被引掛部としての開口部５１及び、つまみネジ５８Ｃが差し通される通孔５４Ｃが形成されている。第２板部５４Ｂには、つまみネジ５８Ｄが差し通される通孔５４Ｄが形成されている。
【００４７】
以上の構成により、ＦＡＸユニット５０では、第１板部５４Ａの開口部５１を第１プレート７１のフック７１Ｅに引っ掛けて、つまみネジ５８Ｃを第１板部５４Ａの通孔５４Ｃに差し通してから、第１プレート７１のネジ孔７１Ｃにねじ込むと共に、つまみネジ５８Ｄを第２板部５４Ｂの通孔５４Ｄに差し通してから、第１プレート７１のネジ孔７１Ｄにねじ込むことで、ユニット装着部３５に装着されるようになっている。
【００４８】
ケース５４は、ＦＡＸユニット５０のユニット装着部３５への装着によって、シールドプレート７０を介して、基準電位点となる本体フレーム２０に電気的に接続されるようになっている。これにより、ケース５４が、基板５２を電気的に遮蔽し、基板５２への電気的なノイズの影響を低減するようになっている。また、ケース５４は、基板５２の全周（上下方向・−Ｚ方向・Ｚ方向・−Ｘ方向・Ｘ方向）を覆っており、外部から加わる外力に対して基板５２を保護するようになっている。
【００４９】
基板５２には、制御基板２４と電気的に接続するためのＦＡＸユニット用コネクタ５５が設けられている。ＦＡＸユニット用コネクタ５５は、ケーブル５７を介して、制御基板２４のコネクタ２３と接続されるようになっている。
【００５０】
ネットカード４０は、図８及び図５に示すように、電子部品が設けられた基板４２を有している。ネットカード４０は、基板４２の一方の面（Ｚ方向側の面、以下、内面４２Ａという）が制御基板２４に対向するようにカード装着部３４に対して制御基板２４の板厚方向（Ｚ方向）へ装着されるようになっている。
【００５１】
基板４２の内面４２Ａには、ネットカード４０のカード装着部３４への装着動作に伴って制御基板用コネクタ２６に接続される第２接続端子の一例としてのネットカード用コネクタ４４が設けられている。ネットカード用コネクタ４４は、基板４２の面内方向一端側（−Ｘ方向側）に配置されている。ネットカード用コネクタ４４では、ケーブル５７を介して接続されるＦＡＸユニット５０の場合と異なり、基板４２と制御基板２４とが、ケーブルを介さず、直接、基板同士で接続されるようになっている。なお、基板４２の面内方向とは、基板４２の面に沿った方向であって、基板４２の板厚方向に直交する方向である。
【００５２】
基板４２の他方の面（−Ｚ方向側の面、以下、外面４２Ｂという）には、後述の板バネ３６を介して、基準電位点となる本体フレーム２０へ導通される被導通部材の一例としての保護プレート４６が設けられている。保護プレート４６は、ネットカード４０のカード装着部３４への装着動作に伴って後述の板バネ３６に接触し、当該板バネ３６を介して、基準電位点となる本体フレーム２０に電気的に接続されるようになっている。これにより、保護プレート４６によって、基板４２が電気的に遮蔽され、基板４２への電気的なノイズの影響が低減されるようになっている。また、保護プレート４６は、基板４２の外面４２Ｂの全面を覆う大きさとされ、外部から加わる外力に対して基板４２を保護するようになっている。
【００５３】
保護プレート４６の外面４６Ｂ（−Ｚ方向側の面）には、ネットカード４０をカード装着部３４に装着する際に把持するための把持部４９が設けられている。把持部４９は、基板４２の面内方向一端側（−Ｘ方向側）に配置されており、ネットカード用コネクタ４４の裏側（反対側の位置）に位置している。
【００５４】
ネットカード４０の基板４２には、ネットカード４０のカード装着部３４への装着状態で外部へ露出して外部装置が接続可能な外部接続端子の一例としての外部コネクタ４８が設けられている。
【００５５】
外部コネクタ４８は、具体的には、基板４２の面内方向他端側（Ｘ方向側）へ突出するように基板４２に設けられ、張出フレーム２０Ｃ及び外装カバー２２の開口部２１に差し込まれてからネットカード４０がカード装着部３４へ装着されることで、ネットカード４０のカード装着部３４への装着状態で外部へ露出するようになっている。
【００５６】
外部コネクタ４８のＺ方向側の面には、Ｚ方向に凸状に湾曲された板バネ４８Ａが設けられ（図５参照）、外部コネクタ４８の上面には、上方に凸状に湾曲された板バネ４８Ｂが設けられている（図８参照）。板バネ４８Ａ及び板バネ４８Ｂは、ネットカード４０のカード装着部３４への装着動作に伴って、張出フレーム２０Ｃの開口部２１の縁に接触し、基準電位点となる本体フレーム２０に電気的に接続されるようになっている。
【００５７】
なお、本実施形態では、ネットカード４０を斜めに傾けて張出フレーム２０Ｃ及び外装カバー２２の開口部２１に外部コネクタ４８を先に差し込んでから、カード装着部３４にネットカード４０が装着されるようになっている。すなわち、外部コネクタ４８を開口部２１に差し込まずに第２プレート７２に対して平行に装着される場合、及び、ネットカード４０を逆方向（図９に示す方向に対して逆方向）に傾けて装着される場合には、カード装着部３４の空間に挿入できないように、当該空間のＸ方向幅が設定されている。
【００５８】
また、当該空間のＸ方向幅が、−Ｚ方向側（挿入方向上流側）において広く、Ｚ方向側（挿入方向下流側）において狭くされていてもよく、カード装着部３４が平面視にて台形状とされていてもよい。
【００５９】
ネットカード４０が装着されるカード装着部３４には、図９及び図８に示すように、基準電位点と導通した導通部材の一例としての板バネ３６が設けられている。板バネ３６は、具体的には、カード装着部３４における−Ｘ方向側であって、張出フレーム２０Ｃ及び外装カバー２２の開口部２１に対して対向する位置に、上下に２つ並んで設けられている。また、板バネ３６は、第３プレート７３の−Ｘ方向側の面に固定されており、シールドプレート７０を介して、基準電位点となる本体フレーム２０に電気的に接続されている。
【００６０】
板バネ３６は、折り曲げられることで第１傾斜面３６Ａ、平面３６Ｂ及び第２傾斜面３６Ｃが形成されている。第１傾斜面３６Ａは、−Ｘ方向側部分に対してＸ方向側部分が、Ｚ方向側に位置するように傾斜しており、第２傾斜面３６Ｂは、Ｘ方向側部分に対して−Ｘ方向側部分が、Ｚ方向側に位置するように傾斜している。
【００６１】
第１傾斜面３６Ａ、平面３６Ｂ及び第２傾斜面３６Ｃが、ネットカード４０の基板４２及び保護プレート４６に接触する接触部分となる。この接触部分は、第３プレート７３に形成された開口部７３Ｂから第３プレート７３のＸ方向側へ突出する突出部分３７である。
【００６２】
板バネ３６は、ネットカード４０のカード装着部３４への装着動作に伴って弾性変形して、その弾性力によって基板４２をカード装着部３４側へ引き込む弾性部材として機能するようになっている。
【００６３】
具体的には、図９に示すように、外部コネクタ４８を張出フレーム２０Ｃ及び外装カバー２２の開口部２１に差し込んでからネットカード４０をカード装着部３４に装着する装着動作が開始されると、図１０に示すように、基板４２の内面４２Ａ（又は角部４２Ｃ）が板バネ３６の第１傾斜面３６Ａに接触を開始し、ネットカード４０がＺ方向に進むにつれて板バネ３６の突出部分３７が−Ｘ方向へ押し込まれて、板バネ３６が弾性変形するようになっている。
【００６４】
さらに、ネットカード４０がＺ方向に進むと共に、板バネ３６の突出部分３７が−Ｘ方向へ押し込まれると、図１１に示すように、ネットカード４０の基板４２の端面４２Ｄ及び保護プレート４６の端面４６Ｄが平面３６Ｂに接触しながらＺ方向に移動するようになっている。さらに、ネットカード４０がＺ方向に進んで、保護プレート４６の端面４６Ｄが平面３６Ｂを越えると、図１２に示すように、保護プレート４６の外面４６Ｂ（又は角部４６Ｃ）に、板バネ３６の第２傾斜面３６Ｃが接触し、板バネ３６の弾性力によって基板４２をカード装着部３４（Ｚ方向）側へ引き込むようになっている。
【００６５】
ネットカード４０がカード装着部３４に装着された状態では、板バネ３６の弾性力により、板バネ３６が保護プレート４６に接触した状態が維持されると共に保護プレート４６が板バネ３６によってシールドプレート７０（Ｚ方向）側へ付勢されて、ネットカード４０の−Ｚ方向側への移動が規制されるようになっている。
【００６６】
すなわち、板バネ３６は、カード装着部３４に装着されたネットカード４０の基板４２の面内方向一端側（−Ｘ方向側）に接触して、カード装着部３４から外れる方向（−Ｚ方向）への当該面内方向一端側の移動を規制する規制部として機能するようになっている。
【００６７】
また、ネットカード４０のカード装着部３４への装着状態において、ネットカード４０は、シールドプレート７０の第４プレート７４上に位置して、カード装着部３４に対するネジ止めなどの固定をすることなく、外部コネクタ４８が張出フレーム２０Ｃの開口部２１に縁に当ることによってＸ方向側部分が位置決めされ、板バネ３６によって−Ｚ方向側への移動が規制されることで、−Ｘ方向側部分が位置決めされるようになっている。なお、外部コネクタ４８は、張出フレーム２０Ｃの開口部２１及び外装カバー２２の開口部２１の両方の縁に当る構成であってもよい。
【００６８】
（本実施形態に係る作用）
次に、本実施形態に係る作用を説明する。
【００６９】
ここでは、本実施形態に係る画像形成装置１０において、ＦＡＸユニット５０及びネットカード４０のそれぞれを、カード装着部３４及びユニット装着部３５のそれぞれに、装着する場合について説明する。
【００７０】
ＦＡＸユニット５０及びネットカード４０を装着する場合には、まず、カバー１８を装置本体１２から取り外して、図７に示すように、カード装着部３４及びユニット装着部３５を露出させる。
【００７１】
ＦＡＸユニット５０をユニット装着部３５に装着する際には、まず、ＦＡＸユニット５０の第１板部５４Ａの開口部５１を、第１プレート７１のフック７１Ｅに引っ掛ける。
【００７２】
次に、つまみネジ５８Ｃを第１板部５４Ａの通孔５４Ｃに差し通してから、第１プレート７１のネジ孔７１Ｃにねじ込むと共に、つまみネジ５８Ｄを第２板部５４Ｂの通孔５４Ｄに差し通してから、第１プレート７１のネジ孔７１Ｄにねじ込む。これにより、ＦＡＸユニット５０がユニット装着部３５に装着される。そして、ＦＡＸユニット５０は、基板５２のＦＡＸユニット用コネクタ５５が、ケーブル５７を介して、制御基板２４のコネクタ２３と電気的に接続される。
【００７３】
ネットカード４０をカード装着部３４に装着する際には、まず、操作者（ユーザ）がネットカード４０の把持部４９を把持し、図９に示すように、ネットカード４０を斜めにして外部コネクタ４８を張出フレーム２０Ｃ及び外装カバー２２の開口部２１に差し込む。
【００７４】
次に、基板４２の内面４２Ａが制御基板２４に対向するように、把持部４９を制御基板２４の板厚方向（Ｚ方向）へ押して、ネットカード４０をカード装着部３４に対して制御基板２４の板厚方向（Ｚ方向）へ装着する。
【００７５】
ネットカード４０のカード装着部３４へ装着が開始されると、図１０に示すように、基板４２の内面４２Ａ（又は角部４２Ｃ）が板バネ３６の第１傾斜面３６Ａに接触を開始し、ネットカード４０がＺ方向に進むにつれて板バネ３６の突出部分３７が−Ｘ方向へ押し込まれて、板バネ３６が弾性変形する。
【００７６】
さらに、ネットカード４０がＺ方向に進むと共に、板バネ３６の突出部分３７が−Ｘ方向へ押し込まれると、図１１に示すように、ネットカード４０の基板４２の端面４２Ｄ及び保護プレート４６の端面４６Ｄが平面３６Ｂに接触しながらＺ方向に移動する。
【００７７】
さらに、ネットカード４０がＺ方向に進んで、保護プレート４６の端面４６Ｄが平面３６Ｂを越えると、図１２に示すように、保護プレート４６の外面４６Ｂ（又は角部４６Ｃ）に、板バネ３６の第２傾斜面３６Ｃが接触し、板バネ３６の弾性力によって基板４２がカード装着部３４（Ｚ方向）側へ引き込まれる。
【００７８】
ネットカード４０がカード装着部３４に装着された状態では、板バネ３６の弾性力により、板バネ３６が保護プレート４６に接触した状態が維持されると共に保護プレート４６が板バネ３６によってシールドプレート７０（Ｚ方向）側へ付勢されて、ネットカード４０の−Ｚ方向側への移動が規制される。これにより、ネットカード４０の−Ｘ方向側が、板バネ３６によって位置決めされる。
【００７９】
また、ネットカード４０がカード装着部３４に装着された状態では、外部コネクタ４８が、張出フレーム２０Ｃ及び外装カバー２２の開口部２１に差し込まれた状態が維持され、外部コネクタ４８の板バネ４８Ａ及び板バネ４８Ｂが、張出フレーム２０Ｃの開口部２１の縁に接触し、本体フレーム２０に電気的に接続されると共に、外部コネクタ４８の開口部２１に対する移動が規制される。このように、ネットカード４０のＸ方向側が、外部コネクタ４８によって位置決めされる。
【００８０】
ネットカード４０のカード装着部３４への装着動作に伴って、基板４２のネットカード用コネクタ４４が、制御基板２４の制御基板用コネクタ２６に挿入されて接続され、かつ、保護プレート４６が板バネ３６に接触し、板バネ３６を介して基準電位点となる本体フレーム２０に電気的に接続される。また、基板４２のカード装着部３４への装着状態において、外部コネクタ４８が外部へ露出して外部装置が接続可能となる。
【００８１】
このように、基板４２のカード装着部３４への装着動作によって、基板４２の制御基板２４への電気的な接続と、基板４２への電気的なノイズの影響を低減する保護プレート４６の本体フレーム２０への電気的な接続（導通）と、がなされる。従って、これらの接続動作を、装着動作とは別に行う必要がない。
【００８２】
また、本実施形態では、把持部４９が、ネットカード４０におけるカード装着部３４への装着方向上流側（手前側）に設けられているので、ネットカード４０をカード装着部３４へ押しこみやすく、基板４２をカード装着部３４へ装着する操作性が向上する。また、把持部４９は、基板４２の面内方向一端側（−Ｘ方向側）に配置されているので、ネットカード４０を斜めにして、基板４２の面内方向他端側（Ｘ方向側）にある外部コネクタ４８を張出フレーム２０Ｃ及び外装カバー２２の開口部２１に差し込む際の操作性が向上する。
【００８３】
また、本実施形態では、把持部４９がネットカード用コネクタ４４の裏側に配置されているので、ネットカード用コネクタ４４を制御基板用コネクタ２６に接続する際の操作力が低減される。
【００８４】
また、本実施形態では、ネットカード４０がカード装着部３４に装着された状態では、ネットカード４０の面内方向一端側（−Ｘ方向側）における−Ｚ方向側への移動が、板バネ３６によって規制されると共に、基板４２の面内方向他端側（Ｘ方向側）にある外部コネクタ４８が、張出フレーム２０Ｃ及び外装カバー２２の開口部２１の縁に当たるので、カード装着部３４に装着されたネットカード４０がカード装着部３４から外れにくい。
【００８５】
また、本実施形態では、カード装着部３４は、ユニット装着部３５に対して斜め上方にずれて配置されているので、ネットカード４０及びＦＡＸユニット５０のそれぞれがカード装着部３４及びユニット装着部３５のそれぞれに対して独立して装着され、ネットカード４０及びＦＡＸユニット５０の一方を取り付けてから他方を取り付けるという取り付け順序の制約が無い。
【００８６】
また、本実施形態では、保護プレート４６が、外力に対して基板４２を保護する保護機能と、基板４２への電気的なノイズの影響を低減する低減機能と、を有するので、少ない部品点数で、外力に対する保護と、基板への電気的なノイズの影響の低減とが実現される。
【００８７】
また、本実施形態では、シールドプレート７０によって、カード装着部３４が構成されると共に、制御基板２４への電気的なノイズの影響が低減されるので、少ない部品点数で、カード装着部３４の形成と、制御基板２４への電気的なノイズの影響の低減と、が実現される。
【００８８】
また、本実施形態では、板バネ３６が、基準電位点となる本体フレーム２０に保護プレート４６を電気的に接続する接続機能と、ネットカード４０の面内方向一端側の移動を規制する規制機能と、有するので、少ない部品点数で、ネットカード４０の面内方向一端側の移動規制と、保護プレート４６の基準電位点への電気的に接続とが、実現される。
【００８９】
本実施形態では、カード装着部３４に装着されるネットカード４０の例を示したが、基板を有する追加部材であれば、他の追加部材であってもよい。
【００９０】
本発明は、上記の実施形態に限るものではなく、種々の変形、変更、改良が可能である。例えば、上記に示した変形例は、適宜、複数を組み合わせて構成しても良い。
【符号の説明】
【００９１】
１０   画像形成装置
１２   装置本体
２４   制御基板
２６   制御基板用コネクタ（第１接続端子の一例）
３４   カード装着部（装着部の一例）
３６   板バネ（導通部材の一例、規制部の一例）
４２   基板
４４   ネットカード用コネクタ（第２接続端子の一例）
４６   保護プレート（被導通部材の一例）
４８   外部コネクタ（外部接続端子の一例）
４９   把持部
【図１】
0005786529.tif 000002
【図２】
0005786529.tif 000003
【図３】
0005786529.tif 000004
【図４】
0005786529.tif 000005
【図５】
0005786529.tif 000006
【図６】
0005786529.tif 000007
【図７】
0005786529.tif 000008
【図８】
0005786529.tif 000009
【図９】
0005786529.tif 000010
【図１０】
0005786529.tif 000011
【図１１】
0005786529.tif 000012
【図１２】
0005786529.tif 000013